(57)【特許請求の範囲】
【請求項１】
記録媒体の記録面に対して平行に移動させて情報の記録再生を行うようにしたヘッドユニットと、
前記ヘッドユニットの平行移動を案内するガイドシャフトと、を備えてなる記録再生装置において、
前記ガイドシャフトに小径端部を形成し、
前記ガイドシャフトの小径端部に捻りコイルバネのコイル部を挿通して該ガイドシャフトを常時付勢する付勢手段と、
前記ガイドシャフトの小径端部を押し下げる調整ネジにより、該ガイドシャフトの高さ位置を調整するようにした保持手段と、
を備えることを特徴とする記録再生装置。
【発明の詳細な説明】
【０００１】
【発明の属する技術分野】
本発明は、コンピュータ、ＡＶ機器に内蔵あるいは周辺機器として普及している記録再生装置の光ピックアップを主体に構成したヘッドユニットの移動を案内するガイドシャフトの付勢手段に関するものである。
【０００２】
【従来の技術】
大量の情報を記録することができる光ディスク（例えば、ＣＤ−Ｒ／ＲＷ、ＤＶＤ−Ｒ／ＲＷ）を記録媒体とする記録再生装置は、特にパーソナルコンピュータ（以下、パソコンという）では不可欠のもので、パソコン本体に内蔵するか、いわゆる外付けとしてケーブルで接続するようにしている。また、ＡＶ機器においてもＤＶＤを記録媒体として情報の記録再生が行われ、記録再生装置の信頼性、耐久性が高く要求されている。
【０００３】
図６はノート型パソコンの外観を示すもので、記録再生装置Ｄはパソコン本体Ｐの側部に内蔵され、ディスクトレイにより光ディスクをロード／アンロードするようにしている。一般にノート型パソコンの場合、きわめて扁平に構成しなければならないため、ディスクトレイをロード／アンロードする機構は省略されており、ディスクトレイのロードは、使用者が指先で押し込むように操作している。
【０００４】
このようなノート型パソコンに採用される記録再生装置は図７に示すごとくユニット構成されており、これもきわめて扁平な形態となる。同図において、符号１０１はディスクトレイであり、このディスクトレイはガイドレール１０２に案内されてシャーシケース１０３内に収まる。
【０００５】
前記ディスクトレイ１０１の中央には、直下に配したスピンドルモータの駆動軸に固定されたターンテーブル１０４が配置され、このターンテーブルで光ディスクの中心孔をクランプし、回転力を伝達するようにしている。そして、符号１０５は光ピックアップを主体とするヘッドユニットであり、ディスクトレイに形成されたスリット１０１ａ内を半径方向に移動し、光ディスクへの情報の記録再生を行うようにしている。
【０００６】
ところで、前記ヘッドユニットをディスクトレイ１０１内で半径方向へ移動を可能とするためには、一般にヘッドユニット１０５をヘッドベース１０６に固定し、このヘッドベース１０６をガイドシャフトに摺動可能に取り付け、前記ヘッドベースをスクリューシャフトのリード溝で平行移動するように構成されている。
【０００７】
かかる構成の場合、光ピックアップの光軸の傾き、スピンドルモータの傾き、そして特にガイドシャフトの取付誤差により光ピックアップと光ディスクの記録面との相対的な傾きおよび距離を正確に定めることができなかった。その誤差は完成品毎に区々であり、後工程においてその誤差の修正を可能とする試みが提案されている（例えば、特開平１１−２０３８０１）。
【０００８】
これは図８に示すごとく、シャシ１０７に螺合した調整ネジ１０８の座部で係止されるようにガイドシャフト１０９を配置し、さらにこのガイドシャフトとシャシ間に圧縮コイルバネ１１０を介装したもので、調整ネジ１０８を回転することにより上方に付勢されたガイドシャフト１０９の高さ位置を調整するようにしたものである。また、図９は圧縮コイルバネに代えて板バネを介装したもので、同様に調整ネジ１０８を回転することによりガイドシャフト１０９の高さ位置を調整するようにしたものである。
【０００９】
【発明が解決しようとする課題】
このようにガイドシャフトを上方に付勢しつつ調整ネジで高さ位置を調整する場合、その付勢力はガイドシャフトを変形させない範囲において可能な限り強いことが望ましい。即ち、パソコン本体に振動が加わったとき、バネが撓んでヘッドユニットが振動するようなことがなく、また、時間の経過に伴いバネ力が低下しないことが重要な条件となる。
【００１０】
ところが、図８の構成による場合、バネ力を確保しつつ且つ応力特性を良好なものとするためには、圧縮コイルバネのコイルの巻回数を多くしなければならず、圧縮コイルバネの全長が長くなる。この長くなった圧縮コイルバネを介装するにはユニット全体の構造的な厚さを大きくしなければならず、パソコン本体の薄型化へ影響を及ぼすことになる。さらに、ガイドシャフトの基準となる高さ位置が大きく変更されてしまうことになり、大幅な設計変更が必要となる。
【００１１】
一方、図９の構成による場合において、圧縮コイルバネの場合と同様にバネ力を確保しつつ且つ応力特性を良好なものとするためには、板バネのバネ部を長くしたものを採用しなければならず、板バネ全体のサイズが大きくなり、小型化に不利となる。また、板バネはバネ乗数が急峻なため付勢力にバラツキがでやすく、高い信頼性を得ることが困難であった。
【００１２】
本発明は、かかる課題を解決するためになされたもので、ガイドシャフトを強力に付勢できるとともに、バネ力の退化のない付勢手段を提供するものであり、併せて、ユニット全体の構造的な厚さが大きくならないようにすることを目的とするものである。
【００１３】
【課題を解決するための手段】
そこで本発明は、記録媒体の記録面に対して平行に移動させて情報の記録再生を行うようにしたヘッドユニットと、前記ヘッドユニットの平行移動を案内するガイドシャフトと、を備えてなる記録再生装置において、前記ガイドシャフトに小径端部を形成し、前記ガイドシャフトの小径端部に捻りコイルバネのコイル部を挿通して該ガイドシャフトを常時付勢する付勢手段と、前記ガイドシャフトの小径端部を押し下げる調整ネジにより、該ガイドシャフトの高さ位置を調整するようにした保持手段とを備え、上記課題を解決する。
【００１４】
【発明の実施の形態】
以下、本発明の実施の形態を図にもとづいて詳細に説明する。図１は本発明を実施した記録再生装置のディスクトレイ１の底面からシールドカバーを取り外した状態を示すもので、前記ディスクトレイ１はガイドレール２に案内されてシャーシケース３に対しロードまたはアンロードされる。
【００１５】
また、ディスクトレイ１には半導体集積回路などの電子部品を実装した配線基板４が配設されており、さらに、光ディスクおよびヘッドユニットに対する駆動系ユニットＡがネジ５により緩衝状態で固定されている。
【００１６】
前記駆動系ユニットＡは、図２に示すごとく鋼板を成型したベースプレート６上に駆動系の要素部品を配設するようにしたもので、その先端部にはディスクトレイ１の表面に露呈するターンテーブルを回転駆動するためのスピンドルモータ７が支持板８により枠部材９に固定されている。
【００１７】
前記枠部材９は合成樹脂により一体成形されたもので、前記スピンドルモータ７の取付部の左右から派生する状態で脚部９ａ・９ｂが形成され、この脚部９ａにはガイドシャフト１０の端部１０ａの嵌入孔１１が形成されており、他端の小径端部１０ｂが位置する部位に該小径端部の収容凹部１２が形成されている。一方、脚部９ｂにも同様にガイドシャフト１３の両端の小径端部１３ａ・１３ｂが位置する部位にこの小径端部の収容凹部１４・１５が形成されている。
【００１８】
つぎに、符号１６・１７は補強板であり、この補強板１６の一方の端部には調整ネジ１８が螺合するネジ孔１６ａが形成されている。また、補強板１７の両端部にも調整ネジ１９・２０が螺合するネジ孔１７ａ・１７ｂが形成されている。そして、前記ガイドシャフト１０・１３の小径端部１０ｂ・１３ａ・１３ｂには捻りコイルバネ２２・２３・２４のコイル部２２ａ・２３ａ・２４ａが図３に示すごとく挿通されており、この状態で収容凹部１２・１４・１５に小径端部１０ｂ・１３ａ・１３ｂを収容したとき、捻りコイルバネのアーム２２ｂ・２３ｂ・２４ｂが収容凹部の溝１２ａ・１４ａ・１５ａに位置し、アーム２２ｂ・２３ｂ・２４ｂは前記溝内の突起１２ｂ・１４ｂ・１５ｂに支承された状態（図５参照）となる。
【００１９】
このようにしてガイドシャフト１０・１３を枠部材９に配置した後、ガイドシャフトを覆うように補強板１６・１７を配置し、取付ネジ２１をベースプレート６のネジ孔６ａに螺着することにより枠部材９と補強板１６・１７を同時に固定することができる。そして、このような固定状態となったとき、補強板１６・１７の端部の調整ネジ１８・１９・２０はガイドシャフトの小径端部１０ｂ・１３ａ・１３ｂ上に図４に示すごとく位置することになる。したがって、補強板１６・１７は、調整ネジ１８・１９・２０を支持する機能と、駆動系ユニットＡ全体の構造上の強度を向上する機能を果たすことになる。
【００２０】
つぎに、枠部材９の脚部９ａにはスクリューシャフト２５が配され、該スクリューシャフトにはギヤユニット２６によりスレッドモータ２７の回転力が伝達される。したがって、スクリューシャフト２５が回転することによりそのリード溝２５ａに係合するナット２８が従動し、該ナットに連結しているヘッドベース２９がガイドシャフト１０・１３に案内されて往復動する。前記ヘッドベース２９には光ピックアップ３０などの光学系の部品が実装されており、ヘッドベースの移動に伴い、記録媒体の記録面に対し平行に移動し、情報の記録再生を行う。
【００２１】
このように一体成形された枠部材９で、ガイドシャフト１０・１３の両端、スクリューシャフト２５の両端、スレッドモータ２７、ギヤユニット２６およびスピンドルモータ７を支持するように構成したので、▲１▼駆動系ユニットＡの部品点数を削減してコスト低減を図ることができ、▲２▼スピンドルモータ７の回転中心（即ち、ディスクの回転中心）に対するガイドシャフト１０・１３が支持する光ピックアップ３０の組み付け位置の精度誤差を小さくすることができ、よって、記録特性の良好な記録再生装置を提供することができる。
【００２２】
本発明は以上のごとく構成されており、駆動系ユニットＡが図１に示すごとく組み立てられると、補強板１６・１７の調整ネジ１８・１９・２０がガイドシャフト１０・１３の小径端部１０ｂ・１３ａ・１３ｂの曲面の頂部に図５に示すように接触する。このとき捻りコイルバネ２２・２３・２４はガイドシャフトの小径端部１０ｂ・１３ａ・１３ｂによりそのコイル部２２ａ・２３ａ・２４ａが押し下げられ、アーム２２ｂ・２３ｂ・２４ｂが同図の実線で示す位置で突起１２ｂ・１４ｂ・１５ｂで支承された状態となる。
【００２３】
捻りコイルバネ２２・２３・２４は、張力作用が与えられていない開放された状態では同図の仮想線で示す位置にアームが位置していることと同等であるので、上記状態、即ち、組立状態となったとき、捻りコイルバネ２２・２３・２４によるバネ力が発生し、ガイドシャフト１０・１３の小径端部１０ｂ・１３ａ・１３ｂを上方へ押し上げる付勢力が発生しする。そして、調整ネジ１８・１９・２０を回転させて押し下げると、捻りコイルバネ２２・２３・２４は同図の破線で示すように降下し、これにより、ガイドシャフト１０・１３の高さ位置の調整が可能となる。
【００２４】
前記状態は、捻りコイルバネ２２・２３・２４による付勢力、即ち、バネ力の開放を調整ネジ１８・１９・２０で阻止している状態であり、調整ネジ１８・１９・２０による静止圧が前記付勢力に対する抗力となって均衡し、ガイドシャフト１０・１３を任意の高さ位置に固定することができる。また、捻りコイルバネ２２・２３・２４のコイル部にガイドシャフトを挿通し、２本の両アームの各々からバネ力を得るように構成したので、省スペースを図りつつ大きなバネ力を得ることができる。
【００２５】
なお、以上説明した実施例の場合、ガイドシャフト１０の端部１０ａのみを枠部材９の嵌入孔１１で保持するようにし、この端部を高さ位置の基準として他の３カ所の端部で個別に高さ位置の調整ができるようにしたので、どのような誤差が発生しても正確な調整作業が可能となる。
【００２６】
【発明の効果】
以上、詳細に説明したごとく本発明によれば、強力なバネ力が得られる捻りコイルバネを採用したので、ガイドシャフトに対する十分な付勢力が得られ、そのバネ力が経時的に低下しないので高い信頼性を得ることができる。また、ガイドシャフトの小径端部に捻りコイルバネのコイル部を挿通する構成としたので、ユニット全体を厚くする要因とはならず、薄型化に貢献することができるなど多大の効果を奏するものである。
【図面の簡単な説明】
【図１】本発明の記録再生装置の組立状態を示す平面図である。
【図２】本発明の記録再生装置の要部の構成を示す分解斜視図である。
【図３】本発明の記録再生装置の要部の組立状態を示す平面図である。
【図４】本発明による付勢手段の構成を示す斜視図である。
【図５】本発明による付勢手段の作用状態を示す側面図である。
【図６】記録再生装置を内蔵したノート型パソコンの外観の斜視図である。
【図７】記録再生装置の外観の斜視図である。
【図８】従来のガイドシャフトの付勢手段の例を示す側面図である。
【図９】従来のガイドシャフトの付勢手段の他の例を示す側面図である。
【符号の説明】
１・・・・・・・・・・ディスクトレイ
６・・・・・・・・・・ベースプレート
７・・・・・・・・・・スピンドルモータ
９・・・・・・・・・・枠部材
１０・１３・・・・・・ガイドシャフト
１１・・・・・・・・・嵌入孔
１２・１４・１５・・・収容凹部
１６・１７・・・・・・補強板
１８・１９・２０・・・調整ネジ
２２・２３・２４・・・捻りコイルバネ
２５・・・・・・・・・スクリューシャフト
２６・・・・・・・・・ギヤユニット
２７・・・・・・・・・スレッドモータ
２８・・・・・・・・・ナット
２９・・・・・・・・・ヘッドベース
３０・・・・・・・・・光ピックアップ
【図１】
0003885634.tif 000002
【図２】
0003885634.tif 000003
【図３】
0003885634.tif 000004
【図４】
0003885634.tif 000005
【図５】
0003885634.tif 000006
【図６】
0003885634.tif 000007
【図７】
0003885634.tif 000008
【図８】
0003885634.tif 000009
【図９】
0003885634.tif 000010